(57)【要約】【課題】日々の生活のなかで、心的態度を良い方向に向かせるメッセージを繰り返し見たり、聞いたりすることができるメッセージ送信システムを提供すること。【解決手段】  携帯電話またはパーソナルコンピュータ等のインターネットに接続された端末機器に対して、音声によるメッセージまたは文字によるメッセージを送信するメッセージ送信システムであって、インターネットに接続されたサーバ装置を有しており、当該サーバ装置は、前記端末機器を利用したアクセスに基づいて、当該端末機器に固有の機器情報および所有者固有の個人情報を記憶するユーザ情報記憶部と、複数の属性に対応づけられた音声または文字による複数のメッセージデータを記憶するメッセージ情報記憶部と、前記端末機器によって設定された指示に基づいて、前記メッセージ情報記憶部に記憶されたメッセージを送信する送信プログラムを有していることを特徴とする。【選択図】図１
2010287136.tif 000002
【特許請求の範囲】
【請求項１】
携帯電話またはパーソナルコンピュータ等のインターネットに接続された端末機器に対して、音声によるメッセージまたは文字によるメッセージを送信するメッセージ送信システムであって、
インターネットに接続されたサーバ装置を有しており、
当該サーバ装置は、
前記端末機器を利用したアクセスに基づいて、当該端末機器に固有の機器情報および所有者固有の個人情報を記憶するユーザ情報記憶部と、
複数の属性に対応づけられた音声または文字による複数のメッセージデータを記憶するメッセージ情報記憶部と、
前記端末機器によって設定された指示に基づいて、前記メッセージ情報記憶部に記憶されたメッセージを送信する送信プログラムを有していることを特徴とするメッセージ送信システム。
【請求項２】
前記送信プログラムは、前記端末機器によって設定された指示に基づいて、ユーザの属性を設定し、当該属性に共通する属性が対応づけられた前記メッセージを送信するようになっていることを特徴とする請求項１記載のメッセージ送信システム。
【請求項３】
前記送信プログラムは、前記端末機器によって設定された指示に基づいて、前記メッセージの送信時刻、送信回数、送信間隔を設定し、当該設定に基づいてメッセージを送信するようになっていることを特徴とする請求項１または２記載のメッセージ送信システム。
【発明の詳細な説明】
【技術分野】
【０００１】
本発明は、メッセージ送信システムに関するものである。
【背景技術】
【０００２】
従来、登録した記念日を通知するシステムとして、特許文献１記載のシステムが知られている。当該システムは、記念日に関する記念日データを登録する為の表示画面を作成する登録用表示データ作成手段と、登録された前記記念日データを記憶するデータ記憶手段と、現在の日時を提供する時計手段と、メール文書データを作成するデータ作成手段と、前記メール文書データを送信するデータ送信手段とを有するサーバ側情報処理装置と、前記メール文書データを受信するデータ受信手段と、受信した前記メール文書データを表示する受信データ表示手段とを有するクライアント側情報処理装置からなる記念日のリマインダーシステムである。そして、インターネットを利用して記念日を通知すると共に、記念品を入手する手段を提供することにより、良好な人間関係を醸成することを援助する記念日のリマインダーシステムの提供を目的とするものである。
【先行技術文献】
【特許文献】
【０００３】
【特許文献１】特開２００３−３３１１８１号公報
【発明の概要】
【発明が解決しようとする課題】
【０００４】
上記従来の記念日のリマインダーシステムは、特定のイベントに関する期日が近づくことを通知するものであるから、日々頻繁に利用するものではない。
一方、現代は将来に希望を見いだしにくい時代となっている。それは、テレビニュースなどが悲観的な情報を発信し、日々、悲観的な情報を繰り返し耳にするからである。そして、このように毎日悲観的な情報を繰り返しインプットされると、そのような思考が身に付くものであり、前向きな発想を起こしにくくなる。その結果、将来を悲観したような精神的な閉塞感から発生する犯罪も急増してきており、子供が被害者になる例も少なくない。
【０００５】
上記のような未来に対する悲観、閉塞感を持たないようにするには、精神的に前向きになるような情報を繰り返し見たり、聞いたりすることである。すなわち、良いことも、悪いことも、繰り返しの習慣によって身に付くのであるから、心的態度が良い方向性を持つような事柄を繰り返し行うことが、人間を精神的に安定化させ犯罪なども防止することができるようになるのである。
本発明は上記課題に鑑み発明したものであって、特定のイベント時のみならず、日々の生活のなかで、心的態度を良い方向に向かせるメッセージを繰り返し見たり、聞いたりすることができるメッセージ送信システムを提供することを課題とするものである。
【課題を解決するための手段】
【０００６】
上記課題を解決するために、本願請求項１記載の発明は以下の構成を有する。すなわち、
携帯電話またはパーソナルコンピュータ等のインターネットに接続された端末機器に対して、音声によるメッセージまたは文字によるメッセージを送信するメッセージ送信システムであって、
インターネットに接続されたサーバ装置を有しており、
当該サーバ装置は、
前記端末機器を利用したアクセスに基づいて、当該端末機器に固有の機器情報および所有者固有の個人情報を記憶するユーザ情報記憶部と、
複数の属性に対応づけられた音声または文字による複数のメッセージデータを記憶するメッセージ情報記憶部と、
前記端末機器によって設定された指示に基づいて、前記メッセージ情報記憶部に記憶されたメッセージを送信する送信プログラムを有していることを特徴とするメッセージ送信システム。
【０００７】
また、請求項２記載の発明は以下の構成を有する。すなわち、
前記送信プログラムは、前記端末機器によって設定された指示に基づいて、ユーザの属性を設定し、当該属性に共通する属性が対応づけられた前記メッセージを送信するようになっていることを特徴とする請求項１記載のメッセージ送信システム。
【０００８】
また、請求項３記載の発明は以下の構成を有する。すなわち、
前記送信プログラムは、前記端末機器によって設定された指示に基づいて、前記メッセージの送信時刻、送信回数、送信間隔を設定し、当該設定に基づいてメッセージを送信するようになっていることを特徴とする請求項１または２記載のメッセージ送信システム。
【発明の効果】
【０００９】
本発明は、励まし効果を有するメッセージや、精神的に前向きになれるようなメッセージを、電話を利用した音声メッセージ、メール等を利用した文字メッセージとして繰り返し送信することにより、人を励ましたり前向きな精神状態にさせる効果がある。
【図面の簡単な説明】
【００１０】
【図１】本発明の概要を説明するための説明図である。
【図２】本発明に係る処理を説明するための説明図である。
【図３】本発明に係るユーザ登録の内容をあらわす説明図である。
【図４】本発明に係るメッセージ情報の内容をあらわす説明図である。
【発明を実施するための形態】
【００１１】
以下、本発明を実施するための最良の形態について説明する。
図１は、本発明に係るメッセージ送信システムの概念図を表したものである。図１において、１はインターネットを表している。当該インターネットには、携帯電話２、パーソナルコンピュータ３が接続されている。携帯電話２には、インターネット接続が可能なＰＤＡその他の各種の端末機器が含まれる。
【００１２】
また、インターネット1には本発明に係るサーバ装置４が接続されている。サーバ装置４には、インターネット1に接続するためのインターフェイスの他、本発明に係るメッセージ送信システムを構成するプログラム６が格納され、当該プログラム６に基づいてデータの入出力が行われるユーザ情報記憶部７、文字メッセージ記憶部８、音声メッセージ記憶部９等が設けられている。
【００１３】
図２は、前記プログラム６の概要を表したフローチャートである。
プログラム６は、第1に携帯端末に関する情報を含む使用者（ユーザ）の登録を行う（Ｓ１）。当該ユーザ登録は、携帯端末の電話番号、Ｅメールアドレスおよび所有者の氏名、住所、性別、生年月日、質問に対する回答、その他当該サーバ装置４に対するアクセスに使用するＩＤおよびパスワードの登録が行われる。また、自分の発声した音声を録音して記憶させ、後に聞くことができるようになっている。
なお、前記質問とは、ユーザの心的態度を推量するための参考質問であり、外向的か内向的か、大きな悩みを抱えているかいないか、受験生か否か、ストレスを感じやすいか否か等、ユーザの心的態度の把握に使用する各種の質問となっている。そして、その質問に対する回答は、後にユーザに対して送信されるメッセージを選択する際の属性の設定に利用される。
【００１４】
前記ユーザ登録が終了すると「メッセージメニュー選択」（Ｓ２）が行われる。当該「メッセージメニュー選択」では、第１に「メッセージ送信時刻」を設定することができる。当該「メッセージ送信時刻」の設定では、予め設定した時刻にメッセージの送信を希望する場合、その送信時刻等を設定することができる。また、特に送信時刻等を希望しない場合には、プログラムによって一定時刻ではないランダムなタイミングでメッセージの送信が行われる。また、誕生日、テスト等の特別のイベントに合わせてメッセージの送信を行うように設定することができる。
なお、上記のように設定した「メッセージ送信時刻」は、例えば児童、学生であるのに日中の学習時間帯にメッセージの送信を行うように設定される等の不適切な設定である場合にはプログラムによって制限することができる。ただし、引きこもり等の事情がある場合には、その制限は除外することができる。
【００１５】
また、「メッセージメニュー選択」（Ｓ２）では、「メッセージ内容」を設定することができる。当該「メッセージ内容」の設定では、自分が録音した音声メッセージを送信するように設定したり、予め記憶されている音声メッセージを適宜選択して送信するように設定することができる。
【００１６】
上記の設定が終了すると、プログラムが自動的に処理を開始する（Ｓ３）。当該自動処理では、メッセージの送信が完了すると、繰り返し設定された次のタイミングでメッセージの送信が行われる。そして、一定の期限等が到達したか否かを判断して（Ｓ４）、期限が到達していなければメッセージ送信を繰り返し、期限が到達していればメッセージ送信を終了する（Ｓ５）。
【００１７】
文字メッセージ記憶部８、音声メッセージ記憶部９は、登録されたユーザに対して発信される各種のメッセージを記憶するハードディスクその他の記憶装置である。文字メッセージ記憶部８は、ユーザに対して文字や図柄等の所定のフォントで構成されるＥメールを発信する際に使用するメッセージを記憶したものである。音声メッセージは、前記文字メッセージに相当する言葉を予め録音した音声によって送信するものである。当該音声メッセージの送信には、通常の電話通信によって行われる他、Ｅメールの添付ファイルとして音声メッセージを送信したり、動画ファイルによって画像付きの音声メッセージを送信する方式が採用される。
【００１８】
メッセージには、当該メッセージごとに定められた固有の番号、属性等がパラメータとして付属している。また、柔らかい表現であったり、命令形の強い表現のようにメッセージの強さを数段階で表した数値または符号もパラメータとして付属している。
なお、前述したプログラムは、ユーザ登録時に行われた質問の回答結果に基づき、メッセージとしてユーザに送信可能なメッセージの属性を決定する。当該属性は、受験生でないユーザには、受験生向けの属性が付与されたメッセージを送信しない、女性には男性むけのメッセージは送信しない等のように、ユーザに合わせて適切なメッセージを送信するためにプログラムが判断する情報として利用されるものである。
【００１９】
図３は、前記プログラムがユーザに対して割り当てる属性の一例を表したものである。例えば、属性１は男性か女性かを区別するためのものである。送信するメッセージには、男性には適さないもの、あるいは女性には適さないものがある。当該属性１は、性別に適したメッセージが選定されるように、メッセージの選択に際して考慮されるものである。
また、属性２は受験生か否かを区別するものである。受験生は年齢的にも多感な時期を過ごしており、試験の結果に対する不安を感じやすく、表面には表れないが感情の起伏が比較的激しいものである。当該属性２は、送信するメッセージが受験生特有の精神状態を無視したものとならず、適切なメッセージが選択されるために考慮されるものである。
その他、性格的な判断、年齢層、家族構成、居住地域等に基づいて種々の属性が設定され、適切なメッセージの選択条件として考慮されるようになっている。
【００２０】
図４は、複数用意されているメッセージの一例を表したものである。各メッセージには、メッセージ固有の番号と、メッセージ毎に割り当てられた属性、メッセージの文言自体の強さ、表現の強さ等の各種のパラメータが付与されている。メッセージ毎に割り当てられた属性は、前述したユーザに設定された属性と同じものである。すなわち、男性ユーザである受験生に対しては、パラメータとして属性１が「０」、属性２が「０」であるメッセージが選択される。
【００２１】
前述したメッセージには、学生向け、社会人向け、主婦向け等の人的要素の他、一人暮らしである、病気がちである等の各種の要素に対応したものが含まれる。
また、自分で作成した文字メッセージや自分で録音した音声メッセージ等も含まれる。ユーザが自ら設定したメッセージは、ユーザ情報として記憶され、毎朝、毎晩、月曜日の朝というように、自らが設定したスケジュールに基づいて送信される。
【００２２】
文字メッセージを送信する際、そのメッセージには、プログラムがユーザの名前を入れたメッセージを生成した上で送信する。また、音声メッセージを送信する際、音声合成音によってメッセージにユーザの名前を加えたメッセージを送信することもできる。例えば、「○○ちゃん、目指せ難関」等のように「○○」の部分にユーザの名前が加えられる。
【００２３】
また、音声についてはユーザが録音した音声をそのまま再生するのみでなく、ユーザの録音した音声の一部と、音声メッセージ記憶部９に記憶されている音声メッセージを利用して励ましの言葉（メッセージ）を生成し、ユーザに対して送信するようにすることもできる。
【００２４】
上記のように生成された文字メッセージや音声メッセージは、ユーザの負担にならない程度に、繰り返し、目にしたり耳にすることが好ましい。しかし、同じメッセージのみでは、目にしたり耳にすることに抵抗を感じるようになるので、同一属性が付与されている（すなわち、言葉は違うが同様の意味内容の）メッセージが送信される。
また、ユーザが小、中、高校生の場合には、授業時間にメッセージを送信することは避けなければならない。また、塾に通う子であれば、学校が終わった後の塾に向かう間に「頑張れ」等のメッセージが届けられると、塾に通うことに対する意欲が起きることも考えられる。
以上のようにメッセージの送信タイミングは重要である。特に、電話メッセージの場合には、上記のように送信する時刻、タイミングが重要であるので、プログラムはこのような送信時刻、送信タイミングを調整する機能を有している。
【産業上の利用可能性】
【００２５】
最近では、毎日のように子供達が犯罪に巻き込まれ命を落としている。そのような状況を改善するには、子供達の幼児期の心の持ち方も大切であるし、子供達を育てる大人の精神状態も大切である。また、劣等感をもつ親が子供にまた劣等感を与えるという連鎖を改善するには、繰り返し繰り返し、精神的に前向きになれるような言葉を聞いたり読んだりするのが効果的である。携帯サイトを通じて繰り返して励まし続けることは、引きこもりの子供達に自信を付けさせることにも有効である。
本発明は、このようにあらゆる世代の人たちに対して、励ましの言葉、精神的に前向きになれるような言葉を、音声またはメール等によって繰り返し送信することができる携帯サイト等に利用可能である。
【符号の説明】
【００２６】
１  インターネット
２  携帯電話（携帯端末）
３  パーソナルコンピュータ
４  サーバ装置
６  プログラム
７  ユーザ情報記憶部
８  文字メッセージ記憶部
９  音声メッセージ記憶部
【図２】
2010287136.tif 000003
【図３】
2010287136.tif 000004
【図４】
2010287136.tif 000005
【図１】
2010287136.tif 000006